(57)【特許請求の範囲】
【請求項１】
ゲル状の揮散体が充填されプルトップ部を除去することにより下面に開口が形成されるプルトップ型の容器体と、該プルトップ型の容器体を高さ調整可能な状態で支持する架台とを備えた揮散器であって、
前記架台は、ベース部と、該ベース部が有する周壁の相対向する部位に立設された起立片とを備え、
前記起立片の内周面には、前記プルトップ型の容器体の下端部に設けられている突縁が選択的に係合する複数段の係合部が、前記周壁よりも上部に設けられたことを特徴とする揮散器。
【請求項２】
ゲル状の揮散体が充填されプルトップ部を除去することにより下面に開口が形成されるプルトップ型の容器体と、該プルトップ型の容器体を高さ調整可能な状態で支持する架台とを備えた揮散器であって、
前記架台は、ベース部と、該ベース部が有する周壁の各々等間隔となる部位に立設された３本の起立片とを備え、
前記起立片の内周面には、前記プルトップ型の容器体の下端部に設けられている突縁が選択的に係合する複数段の係合部が、前記周壁よりも上部に設けられたことを特徴とする揮散器。
【請求項３】
前記係合部は、前記突縁の下面に当接する横リブと、前記突縁の上面に当接する縦リブとからなることを特徴とする請求項１又は２記載の揮散器。
【発明の詳細な説明】
【０００１】
【発明の属する技術分野】
本発明は、芳香剤、消臭剤等の薬剤を揮散させる揮散器に関する。
【０００２】
【従来の技術】
従来の揮散器としては、図８に示したものが知られている。すなわち、この揮散器３０は、上面開口状の下容器３１を有し、この下容器３１上には香料等の所定の有効成分を含有するゲル状のゲル揮散体３２が固定されている。このゲル揮散体３２は、下面開口状であって上下方向に位置調整可能な上容器３３により覆われている。かかる構成において、上容器３３を上方に移動させると、該上容器３３の下端部と下容器３１の上端部との間に間隙Ｄが生じ、ゲル揮散体３２に含有されている有効成分は、この間隙Ｄを介して大気中に揮散し、これにより所要の薬剤効果が得られる。また、上容器３３の上下位置を調整すれば、間隙Ｄの幅が変化してゲル揮散体３２の露出面積Ｓが増減し、この露出面積Ｓの増減により揮散量の調整を行うことができる。
【０００３】
【発明が解決しようとする課題】
しかしながら、ゲル揮散体３２にあっては、空気が直接的に接触すると、これに伴ってその表面が乾燥して硬化し、揮散量が激減してしまう。したがって、前記ゲル揮散器３０において、上容器３３を上方に変位させて露出面積Ｓを増大させると、これに伴って空気との直接接触面積が増加して、ゲル揮散体３２が広範囲に亙って早期に硬化してしまう。このため、揮散量を増加させるべく、上容器３３を上方に変位させた際、その直後は十分な薬剤効果が得られるものの、時間の経過に伴って新たに露出した部分が乾燥して硬化し、ゲル揮散体３２が残存しているにも拘わらず、所望の薬剤効果を得られなくなってしまう。
【０００４】
本発明は、このような従来の課題に鑑みてなされたものであり、揮散体の露出面積を変化させることなく揮散量を調整することのできる揮散器を提供することを目的とするものである。
【０００５】
【課題を解決するための手段】
前記課題を解決するために本発明にかかる揮散器にあっては、ゲル状の揮散体が充填されプルトップ部を除去することにより下面に開口が形成されるプルトップ型の容器体と、該プルトップ型の容器体を高さ調整可能な状態で支持する架台とを備えた揮散器であって、前記架台は、ベース部と、該ベース部が有する周壁の相対向する部位に立設された起立片とを備え、前記起立片の内周面には、前記プルトップ型の容器体の下端部に設けられている突縁が選択的に係合する複数段の係合部が、前記周壁よりも上部に設けられている。かかる構成において、容器体の支持高さを増大させると、これに伴って開口の下方空間が増大し、この下方空間の増大に伴って、容器体内に充填されている揮散体の開口を介した揮散量が増大する。このとき、開口の面積つまりゲル揮散体の開口を介した露出面積には変化がないことから、ゲル揮散体が直接空気と接触する面積の増加はなく、空気との直接接触の増加により硬化面積が増大することもない。また、容器体内のゲル揮散体に含有されている水分、有機溶剤、香料等は、重力によりゲル揮散体の下層部に沈降し、よって、ゲル揮散体の下層部は硬化のないゲル状態に維持され、このゲル状態に維持される下層部の下面より香料等の有効成分は揮散して、開口を介して大気中に放散する。
【０００７】
【実施の形態】
以下、本発明の一実施の形態を図にしたがって説明する。すなわち、図１に示した容器体１は、断面円形のプルトップ型の缶からなり、上壁２と周壁３とにより画成された収容室４を有している。前記周壁３の上下各端部には、各々上部突縁５ａと下部突縁５ｂとが形成されており、また、容器体１の下面には、プルトップ部を除去して形成された開口６が設けられている。さらに、開口６の周部には、プルトップ部の除去により残存したフランジ７が設けられている。前記容器体１の内部には、その上部に２／５程度の密閉空間８を残してゲル揮散体９が充填されている。該ゲル揮散体９は、水、有機溶剤および香料等の薬剤を含有してゲル化して構成され、その下面９ａは前記開口６を介して外部に露呈している。
【０００８】
一方、前記容器体１を支持する支持手段としての架台１０は合成樹脂製であって、図２にも示すように、ベース部２０を有している。該ベース部２０は、円形の底板１１と、該底板１１の全周に亙って立設された周壁１２とからなり、該周壁１２の相対向する部位には、起立片１３，１３が立設されている。各起立片１３は、底板１１の周縁に沿った円曲面状であり、その内周面には底壁１１から起立した一対の補強リブ１４，１４が一体に形成され、該補強リブ１４，１４の上端部は、前記周壁１１の上面よりも上部に位置している。
【０００９】
また、各起立片１３の内周面には、補強リブ１４，１４の上端部よりも上部に、順次第１横リブ１５、一対の第１縦リブ１６，１６、第２横リブ１７，一対の第２縦リブ１８，１８が突設されている。両横リブ１５，１７は、水平方向に延在しており、第１横リブ１５と補強リブ１４，１４の上端部間には、前記容器体１の下部突縁５ｂが係合可能な間隔が設けられている。また、各縦リブ１６，１６，１８，１８は上下方向に延在しており、第１横リブ１５と第１縦リブ１６，１６の下端部間、及び第２横リブ１７と第２縦リブ１８，１８の下端部間にも、各々前記容器体１の下部突縁５ｂが係合可能な間隔が設けられている。したがって、容器体１の下部突縁５ｂを、補強リブ１４，１４の上端部と第１横リブ１５間、第１横リブ１５と第１縦リブ１６，１６の下端部間、第２横リブ１７と第２縦リブ１８の下端部間に係合させることにより、容器体１の底板１１に対する支持高さを３段階に調整し得るように構成されている。
【００１０】
以上の構成にかかる本実施の形態において、使用に際しては容器体１のプルトップ部を除去し、図１に示すように、下部突縁５ｂを両起立片１３，１３の例えば第１横リブ１５と第１縦リブ１６の下端部間に介挿する。すると、容器体１は両側において、下部突縁５ｂの下面を第１横リブ１５に支持されるとともに、上面を一対の第１縦リブ１６，１６により支持されて、両起立片１３，１３間に架装される。また、これにより容器体１の下端部と架台１０の周壁１２との間に、周囲空間と連通する間隙Ｄが形成される。
【００１１】
一方、ゲル揮散体９は高温の溶融状態で容器体１の収容室４内に充填されることから、冷却によりゲル化した際には、その上方の密閉空間８は負圧状態となっており、また、ゲル揮散体９の周面は含有されている水分や有機溶剤等により周壁３の内面と液密状態となっている。したがって、使用初期の状態においては、ゲル揮散体９は前記密閉空間８の負圧による吸引力と、周壁３の内面との液密状態による摩擦抵抗との合力により、重力に抗して所定の位置に定位し、よって、ゲル揮散体９の下面９ａの位置も一定に規制される。そして、このように定位しているゲル揮散体９に含有されている水分、有機溶剤、香料等は、重力によりゲル揮散体９の下層部に沈降し、よって、ゲル揮散体９の下層部は乾燥及び硬化のないゲル状態に維持され、このゲル状態に維持される下層部の下面９ａより香料等の有効成分は揮散して、収容室４の開口６及び前記間隙Ｄを介して大気中に放散される。
【００１２】
他方、このように水分、有機溶剤、香料等が沈降することにより、ゲル揮散体９の上層部９ｂは図３に示したように収縮及び硬化する。そして、該上層部９ｂの収縮に伴ってゲル揮散体９の上方に残存する密閉空間８の容積が増加し、その結果、密閉空間８の負圧は増加する。このため、ゲル揮散体９は前記密閉空間８内の負圧の増加により上方に吸引されて上昇移動し、このゲル揮散体９が上昇移動する際には、該ゲル揮散体９の周面と周壁３の内面との液密状態が変化することから、液密性が低下した両者の間を介して負圧状態にある密閉空間８内に大気が侵入する。これにより、密閉空間８内の負圧が低下し、よってゲル揮散体９は上昇移動した直後下降移動する。
【００１３】
そして、この下降移動したゲル揮散体９は、密閉空間８内の負圧による吸引力と前記液密状態による摩擦抵抗との合力が、この時点のゲル揮散体９の自重とバランスした位置で定位する。このとき、ゲル揮散体９は揮散に伴って容積が減少しこれにより自重も減少するが、容積の減少に伴って周壁３の内面との液密面積も減少する。したがって、該液密面積の減少に伴って前記摩擦抵抗も減少していることから、揮散により自重が減少してもゲル揮散体９は前述した使用初期と略同一位置で前記合力をバランスして定位し、その結果、使用初期から使用終期までゲル揮散体９の下面は収容室４内の略同じ位置に在位する。すなわち、ゲル揮散体９は前記密閉空間８に発生する負圧、及びその周面と周壁３の内面との液密状態による摩擦抵抗の相乗作用により、常に下面９ａの位置が略一定に維持され、かつ常にゲル状に維持される下面９ａから有効成分が揮散して行く。
【００１４】
このように有効成分が揮散している状態において、容器体１を下方に移動させて、下部突縁５ｂを補強リブ１４，１４の上端部と第１横リブ１５間に介挿すると、容器体１は両側において、下面を補強リブ１４，１４に支持されるとともに、上面を第１横リブ１５により支持されて、両起立片１３，１３間に架装される。これにより容器体１の下端部と架台１０の周壁１２との間の周囲空間と連通する間隙Ｄは、前述した第１横リブ１５と第１縦リブ１６，１６間に下部突縁５ｂを介挿した場合よりも縮小する。このため、この間隙Ｄを介した空気の通流量が減少し、これにより有効成分の周囲空間への揮散量が減少させることができる。
【００１５】
また、容器体１を上方に移動させて、下部突縁５ｂを第２横リブ１７と第２縦リブ１８，１８の下端部間に介挿すると、容器体１は両側において、下面を第２横リブ１７に支持されるとともに、上面を一対の第２縦リブ１８，１８により支持されて、両起立片１３，１３間に架装される。これにより容器体１の下端部と架台１０の周壁１２との間の周囲空間と連通する間隙Ｄは、前述した第１横リブ１５と第１縦リブ１６，１６間に下部突縁５ｂを介挿した場合よりも拡大する。このため、この間隙Ｄを介した空気の通流量が増加し、これにより有効成分の周囲空間への揮散量が増大させることができる。
【００１６】
このとき、間隙Ｄが拡大しても開口６の面積つまりゲル揮散体９の開口６を介した露出面積の変化はない。よって、ゲル揮散体９が直接空気と接触する面積の増加もないことから、空気との直接接触の増加によるゲル揮散体９の硬化面積の増大もない。しかも、前述のように、ゲル揮散体９に含有されている水分、有機溶剤、香料等は、重力によりゲル揮散体９の下層部に沈降し、ゲル揮散体９の下層部は乾燥及び硬化のないゲル状態に維持される。したがって、揮散量を増加させるべく、容器体１を位置変化させれば、ゲル揮散体９が残存している限り、周囲空間に容器体１の上下位置に応じた薬剤効果を発生させることができる。
【００１７】
そして、最終的に残存しているゲル揮散体９が全体的に乾燥状態になると、周面と周壁３の内面との液密状態が消失し、この乾燥状態となったゲル揮散体９は、開口６より底板１１上に落下する。よって、底板１１上に落下した乾燥及び収縮状のゲル揮散体９を視認することにより、有効成分の揮散が完了したことを識別することができ、この時点で空となった容器体１を架台１０から取り外して、新たなゲル揮散体９が充填された容器体１を架台１０に装着することにより、容器体１に充填されたゲル揮散体９を完全に有効消費することができる。
【００１８】
図４は、本発明の第２の実施の形態を示すものであり、架台１０の周壁１２には各々等間隔となる位置に３本の起立片１３が立設されており、各起立片１３の構成は前述した第１の実施の形態と同様である。したがって、この実施の形態においては、容器体１の下部が３点支持されることとなり、より安定的に容器体１を架装することができる。
【００１９】
図５は、本発明の第３の実施の形態を示すものであり、架台１０の周壁１２には単一の起立片１３が立設されており、該起立片１３は周壁１２の円周方向における少なくとも半分まで形成されている。また、起立片１３の構成部材は、前述した第１の実施の形態と同様であるが、第１横リブ１５及び第２横リブ１７は、より長尺状であって、起立片１３の略全長に亙って設けられ、補強リブ１４、第１縦リブ１６、第２縦リブ１８は、両横リブ１５，１７に対応してより多数個設けられている。この実施の形態においては、架台１０の一面側が起立片１３により閉鎖され、他面側のみが解放されていることから、該他面側の周囲空間に専ら薬剤効果を発生させることができ、例えば壁際に載置する場合において、効率的な揮散が可能となる。
【００２０】
図６は、本発明の第４の実施の形態を示すものであり、架台１０の下方部分の構成は、前述した第１の実施の形態と同様である。しかし、起立片１３，１３は第１の実施の形態よりも延長され、上端部には前記周壁１２と同径からなる円環状の抱持部１９が設けられている。したがって、この実施の形態において前記容器体１は、下部突縁５ｂを、補強リブ１４，１４の上端部と第１横リブ１５間、第１横リブ１５と第１縦リブ１６，１６の下端部間、第２横リブ１７と第２縦リブ１８の下端部間のいずれかにより支持されるとともに、上部の周面を抱持部１９により支持され、これにより、図４に示した第２の実施の形態と同様に、安定的に容器体１を架装することができる。しかし、周囲の開口面積は、図４に示した第４の実施の形態よりも大きいことから、十分な揮散量を確保しつつ容器体１を安定的に架装することができる。
【００２１】
図７は、本発明の第５の実施の形態を示すものであり、架台１０は前述の図１及び図２に示した第１の実施の形態と同一の構成である。しかし、容器体２１は、透明の樹脂で形成されたドーム状の球面壁２２により画成された収容室２３を有し、容器体２１の下面には、プルトップ部を除去して形成された開口２４が設けられている。開口２４の周部には、プルトップ部の除去により残存したフランジ２５が設けられ、該フランジ２５には前記開口部２４を閉鎖する濾紙２６の周部が貼着されているとともに、突縁２５ａが形成されている。前記収容室２３には、密閉空間２７を残して液状ゲル揮散体２８が充填されており、該液状ゲル揮散体２８は、水、有機溶剤および香料等の薬剤を含有して流動状にゲル化して構成されている。
【００２２】
かかる実施の形態において、液状ゲル揮散体２８内に含有されている水分、有機溶剤、香料等は、濾紙２６に含浸した後、開口部２４及び及び前記間隙Ｄを介して大気中に放散される。また、前述のように架台１０は、３段階に容器体２１の支持高さ及び間隙Ｄの幅を調整可能であって、この支持高さ及び間隙Ｄの幅の調整により、有効成分の周囲空間への揮散量が増減させることができる。このとき、間隙Ｄが拡大しても開口２４の面積つまり濾紙２６の露出面積の変化はない。よって、液状ゲル揮散体２８において、濾紙２６を介して空気と接触する面積の増加もないことから、よって、揮散量の調整を可能にしつつ、液状ゲル揮散体２８が残存している限り、周囲空間に容器体１の上下位置に応じた薬剤効果を発生させることができる。
【００２４】
また、各実施の形態においては、底板１１を有する構成を示したが底板１１を設けることなくこれ除去した構成であってもよい。また、実施の形態では、各リブ１５〜１８を選択的に用いて、容器体１の高さ位置を調整可能としたが、凹部や突起等により容器体１を高さ位置調整自在に支持するようにしてもよい。
【００２５】
【発明の効果】
以上説明したように本発明によれば、プルトップ型の容器体の開口面積つまり揮散体の開口を介した露出面積を変化させることなく、開口の下方空間の増減に伴って、揮散体の揮散量を変化させることができる。したがって、揮散体が直接、あるいは濾紙又は微多孔膜を介して空気と接触する面積の増加に伴う、揮散体の広範囲に亙る乾燥及び硬化に起因した薬剤効果の早期喪失を防止して、薬剤効果を長期に亙って得つつ揮散量の調整を行うことが可能となる。また、前記揮散体をゲルとしたことから、常にゲル状態に維持される下面から有効成分を揮散させることができ、使用初期から使用終期まで薬剤効果を得ることができる。
【００２６】
また、プルトップ型の容器体を高さ調整可能な状態で支持するために、ベース部の周部に立設された起立片と、該起立片の内周面に形成され、前記容器体の下端部が選択的に当接する複数段の係合部とからなる構成により、簡易でありながらプルトップ型の容器体を高さ調整可能な状態で支持することができる。また、前記係合部が、プルトップ型の容器体の下端部に設けられている突縁の下面に当接する横リブと、上面に当接する縦リブとからなる構成により、少ないリブにより確実にプルトップ型の容器体の支持を行うことができる。
【００２７】
さらに、前記起立片をベース部の相対向する部位に立設した構成により、少ない起立片により安定したプルトップ型の容器体の架装が可能となる。なお、起立片をベース部の一側部のみに設ける構成により、ゲル揮散体の揮散方向を制限して、壁際に配置した場合に効果的な揮散を行うことができる。
【図面の簡単な説明】
【図１】本発明の一実施の形態を示す図２のＡ−Ａ線に相当する一部拡大断面図である。
【図２】同実施の形態にかかる架台の斜視図である。
【図３】ゲル揮散体がやや減少した状態における図２のＡ−Ａ線に相当する断面図である。
【図４】本発明の第２の実施の形態にかかる架台の斜視図である。
【図５】本発明の第３の実施の形態にかかる架台の斜視図である。
【図６】本発明の第４の実施の形態にかかる架台の斜視図である。
【図７】本発明の第５の実施の形態を示す図２のＡ−Ａ線に相当する一部拡大断面図である。
【図８】従来のゲル揮散体を示す正面図である。
【符号の説明】
１    容器体
２    収容室
５ａ    上部突縁
５ｂ    下部突縁
６    開口
７    フランジ（落下防止部）
８    密閉空間
９    ゲル揮散体
１３    起立片
１５    第１横リブ
１６    第１縦リブ
１７    第２横リブ
１８    第２縦リブ
１９    抱持部
【図１】
0003900309.tif 000002
【図２】
0003900309.tif 000003
【図３】
0003900309.tif 000004
【図４】
0003900309.tif 000005
【図５】
0003900309.tif 000006
【図６】
0003900309.tif 000007
【図７】
0003900309.tif 000008
【図８】
0003900309.tif 000009